(57)【要約】【課題】  前後長を長くしたり発光手段を増設したりしなくても表示体又は導光板の主表面に照射する光量を確保でき、小型コンパクトで製造コストの増大を抑制できる遊技機用演出表示装置とそれを備えた遊技機を提供する。【解決手段】  後方ＬＥＤ１８Ｂからの光は、水平部１１ａの水平周面１１ｂから導光板１１に導入されて前面側の主表面１１ｃを面発光させ、主表面１１ｃから表示シート１３に向けて導出される。さらに後方ＬＥＤ１８Ｂからの光は、ハーフミラー１４、補助導光板１５及び前方レンズ１６を通り遊技者に到達する。一方、前方ＬＥＤ１８Ｆからの光は、（前方レンズ１６の屈曲周縁部を通り）水平部１５ａの水平周面１５ｂから補助導光板１５に導入されて前面側の主表面１５ｃを面発光させ、主表面１５ｃから前面側に向けて導出される。さらに前方ＬＥＤ１８Ｆからの光は、前方レンズ１６を通り遊技者に到達する。【選択図】  図２
2010094443.tif 000002
【特許請求の範囲】
【請求項１】
遊技機に取り付けられる遊技機用演出表示装置であって、
遊技者に対面する前面側に向けて光透過可能に配置されるとともに、演出表示のための数字・文字・図形・記号・模様等からなる図柄が所定の色彩を有して表示された１又は複数の表示体と、
前後方向に所定の厚みを有して前記表示体の後方に配置され、周面側から導入された光を前面側の主表面から前記表示体に向けて導出可能な透光性の導光板と、
前記表示体の後方であって前記導光板の周面に対向して配置され、所定の発光色で発光して前記導光板を周面側から照射する発光手段とを備えることを特徴とする遊技機用演出表示装置。
【請求項２】
前記発光手段の発光色が前記図柄の色彩と同系の有彩色であるとき、その光が周面側から前記導光板に導入されてその主表面を面発光させ、前記主表面から出た光が前記表示体を後方側から照射することにより、前記表示体を透過する際に前記図柄の色彩と一体化する請求項１に記載の遊技機用演出表示装置。
【請求項３】
前記発光手段の発光色が前記図柄の色彩と補色関係を有する異系の有彩色であるとき、その光が周面側から前記導光板に導入されてその主表面を面発光させ、前記主表面から出た光が前記表示体を後方側から照射することにより、前記表示体を透過する際に前記図柄の色彩と混合して無彩色を呈する請求項１又は２に記載の遊技機用演出表示装置。
【請求項４】
前記導光板は、前記表示体において前記図柄に対応する部分のみに配置されている請求項１ないし３のいずれか１項に記載の遊技機用演出表示装置。
【請求項５】
前記表示体の前方に配置され、暗い側からは明るい側を透視でき、明るい側からは暗い側を透視できないようにする半透鏡を備え、
前記発光手段の発光時には前記半透鏡を介して前方側から後方側を透視でき、かつ前記発光手段の非発光時には前記半透鏡によって前方側から後方側を透視できないようにする請求項１ないし４のいずれか１項に記載の遊技機用演出表示装置。
【請求項６】
前記半透鏡の前方に配置され、周面側から導入された光を前面側の主表面から導出可能な透光性の補助導光板と、
前記表示体の前方であって前記補助導光板の周面に対向して配置され、所定の発光色で発光して前記補助導光板を周面側から照射する補助発光手段とを備える請求項５に記載の遊技機用演出表示装置。
【請求項７】
前記発光手段が非発光であり、かつ前記補助発光手段が発光したとき、前記半透鏡で前記図柄の透視が遮られるとともに、前記補助発光手段の光が周面側から前記補助導光板に導入されてその主表面を面発光させ、前記主表面から出た光が前面側に向けて導出されることにより、遊技者によって前記補助発光手段の光が視認可能となる請求項６に記載の遊技機用演出表示装置。
【請求項８】
前記発光手段と補助発光手段とは、各々複数の発光素子で構成されるとともに、前記導光板及び補助導光板の周面に対向して配置された単一の共通基板に実装されている請求項６又は７に記載の遊技機用演出表示装置。
【請求項９】
遊技機に取り付けられる遊技機用演出表示装置であって、
前後方向に所定の厚みを有し、遊技者に対面する前面側の主表面に演出表示のための数字・文字・図形・記号・模様等からなる図柄が所定の色彩を有して表示され、周面側から導入された光を前記主表面から前面側に向けて導出可能な透光性の導光板と、
前記導光板の周面に対向して配置され、所定の発光色で発光して前記導光板を周面側から照射する発光手段とを備えることを特徴とする遊技機用演出表示装置。
【請求項１０】
前記発光手段の発光色が前記図柄の色彩と同系の有彩色であるとき、その光が周面側から前記導光板に導入されてその主表面を面発光させ、前記主表面を透過する際に前記図柄の色彩と一体化する請求項９に記載の遊技機用演出表示装置。
【請求項１１】
前記発光手段の発光色が前記図柄の色彩と補色関係を有する異系の有彩色であるとき、その光が周面側から前記導光板に導入されてその主表面を面発光させ、前記主表面を透過する際に前記図柄の色彩と混合して無彩色を呈する請求項９又は１０に記載の遊技機用演出表示装置。
【請求項１２】
前記導光板の前方に配置され、暗い側からは明るい側を透視でき、明るい側からは暗い側を透視できないようにする半透鏡を備え、
前記発光手段の発光時には前記半透鏡を介して前方側から後方側を透視でき、かつ前記発光手段の非発光時には前記半透鏡によって前方側から後方側を透視できないようにする請求項９ないし１１のいずれか１項に記載の遊技機用演出表示装置。
【請求項１３】
前記図柄は色相の異なる複数の色彩を有し、
前記発光手段は、前記図柄の各色彩に対して、同系の有彩色と補色関係を有する異系の有彩色とに発光可能な発光素子によって構成されている請求項１ないし１２のいずれか１項に記載の遊技機用演出表示装置。
【請求項１４】
前記導光板の後方側と周面側とのうち少なくともいずれか一方に配置され、その導光板の後面と周面とのうち少なくともいずれか一方から外方へ漏出する光を反射して当該導光板へ再導入するための反射部を備える請求項１ないし１３のいずれか１項に記載の遊技機用演出表示装置。
【請求項１５】
請求項１ないし１４のいずれか１項に記載の遊技機用演出表示装置が取り付けられることを特徴とする遊技機。
【発明の詳細な説明】
【技術分野】
【０００１】
本発明は、遊技機用演出表示装置とその演出表示装置を備えた遊技機に関する。
【背景技術】
【０００２】
従来から、パチンコ機、アレパチ機等の弾球遊技機やスロットマシン、パチスロ機等の回胴式遊技機を含む種々の遊技機では、ランプ、ＬＥＤ等の発光手段を用いた様々な演出表示を行うことによって、遊技者の興趣を高め遊技が単調になるのを防ぐための工夫がなされている。例えば、透光性の絵の具、印刷インク等によって、複数の文字・図形等にそれぞれ異なる色彩（着色）を施した図柄を透明なシート（表示体）に描き、シートの後方側（遊技者との対面側とは反対側）からＬＥＤ（発光手段）を発光させることが提案されている（特許文献１，２参照）。
【０００３】
【特許文献１】特開２００７−１６７４６５号公報
【特許文献２】特開２００７−６１２２３号公報
【０００４】
特許文献１，２に開示された表示装置によれば、ＬＥＤ（発光手段）の発光色（点灯色）が図柄の色彩と一致するときには図柄が見えにくくなり、異なるとき（例えば補色関係）には混合色図柄（例えば無彩色図柄）が見えるようになる。したがって、ＬＥＤの発光色を変化させることによって、遊技者の興趣を高め遊技が単調になるのを防ぐことができる。ところが、これらの表示装置では、図柄が表示されたシートの後方側にＬＥＤを配置し、ＬＥＤからの光をレンズ等の光拡散部材を介してシートの図柄に照射するので、表示装置の前後長が長くなり大型になりやすい。しかも、シートの図柄表示面積を大きくして演出表示に迫力感を出すためにシート全体を均一にかつ明るく照射するには、ＬＥＤをシートから後方側へ離間させたりＬＥＤの個数を増やしたりする必要があり、表示装置の前後長がますます長くなって大型化し、製造コストが増大するおそれがある。
【発明の開示】
【発明が解決しようとする課題】
【０００５】
本発明の課題は、前後長を長くしたり発光手段を増設したりしなくても表示体又は導光板の主表面に照射する光量を確保でき、小型コンパクトで製造コストの増大を抑制できる遊技機用演出表示装置とそれを備えた遊技機を提供することにある。
【課題を解決するための手段及び発明の効果】
【０００６】
上記の課題を解決するために、遊技機に取り付けられる本発明の遊技機用演出表示装置は、
遊技者に対面する前面側に向けて光透過可能に配置されるとともに、演出表示のための数字・文字・図形・記号・模様等からなる図柄が所定の色彩を有して表示された１又は複数の（例えばシート状の）表示体と、
前後方向に所定の厚みを有して前記表示体の後方に（例えば平行状に）配置され、周面側から導入された光を前面側の主表面から前記表示体に向けて導出可能な透光性の導光板と、
前記表示体の後方であって前記導光板の周面に対向して配置され、所定の発光色で発光して前記導光板を周面側から照射する発光手段とを備えることを特徴とする。
【０００７】
このように、発光手段（例えば発光素子）は表示体（例えば表示シート）の後方であって導光板の周面に対向して配置されるので、発光手段からの光は、周面側から導光板へ導入されて主表面を面発光させ、主表面から出た光が表示体を後方側から照射する。これによって、前後長を長くしたり発光手段を増設したりしなくても表示体に照射する光量を確保でき、小型コンパクト化を図り、製造コストの増大を抑制できる。また、導光板の主表面が面発光するので、光量損失を軽減して表示体全体を明るく照らし出し、光を効率よく利用して図柄表示部分ひいては背景部分を含めた表示体全体の前面への輝度を高めることができる。
【０００８】
これによって、上記遊技機用演出表示装置では、発光手段の発光色が図柄の色彩と同系の有彩色であるとき、その光が周面側から導光板に導入されてその主表面を面発光させ、主表面から出た光が表示体を後方側から照射することにより、表示体を透過する際に図柄の色彩と一体化する。
【０００９】
例えば、図柄を除く表示体の背景部分が無色透明の場合、表示体の背景部分と図柄とが渾然一体化してコントラストが相対的に弱められるので、遊技者による図柄の視認を妨げることができる。あるいは、図柄が無色透明部分を内包する場合、無色透明部分と図柄とが渾然一体化してコントラストが相対的に強められるので、遊技者による図柄の視認を容易にすることができる。
【００１０】
また、上記遊技機用演出表示装置では、発光手段の発光色が図柄の色彩と補色関係を有する異系の有彩色であるとき、その光が周面側から導光板に導入されてその主表面を面発光させ、主表面から出た光が表示体を後方側から照射することにより、表示体を透過する際に図柄の色彩と混合して無彩色を呈する。
【００１１】
例えば、図柄を除く表示体の背景部分が無色透明の場合、表示体の背景部分が発光手段の発光色を呈してコントラストが相対的に強められるので、無彩色図柄の視認を容易にすることができる。あるいは、図柄を除く表示体の背景部分が無彩色の場合、表示体の背景部分と無彩色図柄とが渾然一体化してコントラストが相対的に弱められるので、遊技者による無彩色図柄の視認を妨げることができる。
【００１２】
このように、発光手段の発光色を図柄の色彩に対して同系の有彩色にしたり、補色関係を有する異系の有彩色にしたりすることによって、図柄あるいは無彩色図柄を消す（視認不能）状態と見せる（視認可能）状態とに切り替えることができる。
【００１３】
なお、導光板は、透明又は半透明の高分子材料（例えばアクリル樹脂等の合成樹脂材料）、ガラス材料等からなる。また、発光手段には、赤Ｒ，緑Ｇ，青Ｂ単色又はフルカラーの発光素子（ＬＥＤ）、ランプ等が用いられる。
【００１４】
さらに、表示体は、高分子材料（例えばポリエチレン（ＰＥ）、ポリプロピレン（ＰＰ）等の合成樹脂材料）をシート状、フィルム状、薄い板状等に成形した成形形態が一般的であるが、層状の薄膜（表示シート素材）を重ね合わせた積層形態でもよい。これらの表示体には、数字・文字・図形・記号・模様等からなる図柄が、透光性の絵の具、印刷インク等によって所定の色彩（色相）を有する有彩色で描かれる。発光手段の発光色及び図柄の色彩について、例えば、三原色を基準とする場合、光の三原色（すなわち、赤Ｒ，緑Ｇ，青Ｂ（正確には青紫ＰＢ＝バイオレットＶ））と色の三原色（すなわち、シアンＣ（＝青緑ＢＧ），マゼンタＭ（＝赤紫ＲＰ），黄Ｙ）とのいずれによってもよい。具体的には、ＪＩＳ  Ｚ  ８１０５（色に関する用語）、ＪＩＳ  Ｚ  ８１０２（物体色の色名）における基本色名、及びＪＩＳ  Ｚ  ８７２１（色の表示方法−三属性による表示）における色相環に基づく。
【００１５】
したがって、例えば表示シート（シート状の表示体）に色彩（色相）の異なる複数の図柄を印刷（表示）する場合、次のような手法を単独で又は組み合わせて用いることができる。
（１）複数枚の表示シートに色彩の異なる複数の図柄をそれぞれ印刷する。
（２）１枚の表示シートの表面及び裏面に色彩の異なる図柄をそれぞれ印刷する。
（３）１枚の表示シートの表面（又は裏面）に色彩の異なる複数の図柄を重ね合わせて印刷する。
（４）複数枚の薄膜状表示シート素材に色彩の異なる複数の図柄をそれぞれ印刷し、層状に重ね合わせて表示シートに一体化する。
【００１６】
そこで、導光板を表示体において図柄に対応する部分のみに配置する場合には、表示体よりも小さく形成された導光板（及びその導光板に対応して配置された反射部）によって発光手段の発光量を集中させて、表示体の図柄部分を明るく照らし出し、光を効率よく利用して図柄の前面輝度を高めることができる。
【００１７】
そして、表示体の前方に配置され、暗い側からは明るい側を透視でき、明るい側からは暗い側を透視できないようにする半透鏡を備え、
発光手段の発光時には半透鏡を介して前方側から後方側を透視でき、かつ発光手段の非発光時には半透鏡によって前方側から後方側を透視できないようにすることができる。
【００１８】
表示体の前方に半透鏡（ハーフミラー；マジックミラー）を備えることにより、上記した図柄あるいは無彩色図柄を消す（視認不能）状態と見せる（視認可能）状態とを切り替える際のコントラストを相対的に強めることができ、図柄あるいは無彩色図柄をくっきりと表示できる。
【００１９】
さらには、半透鏡の前方に（例えば平行状に）配置され、周面側から導入された光を前面側の主表面から導出可能な透光性の補助導光板と、
表示体の前方であって補助導光板の周面に対向して配置され、所定の発光色で発光して補助導光板を周面側から照射する補助発光手段とを備えることができる。
【００２０】
このように、表示体の前方にさらに補助導光板及び補助発光手段を備えることにより、発光手段の発光色と図柄の色彩とによる演出表示が補助発光手段の光との混合によって強調され、さらに多彩な演出表示が可能となる。
【００２１】
例えば、発光手段及び補助発光手段が図柄の色彩と同系の有彩色に発光したとき、発光手段の光が周面側から導光板に導入されてその主表面を面発光させ、主表面から出た光が表示体を後方側から照射することにより、表示体及び半透鏡を透過する際に図柄の色彩と一体化し、かつ補助発光手段の光と混合する。これによって、上記したように図柄あるいは無彩色図柄を消す（視認不能）状態と見せる（視認可能）状態とに切り替えたとき、背景部分等とのコントラストを一層強調することができる。
【００２２】
また、発光手段が非発光であり、かつ補助発光手段が発光したとき、半透鏡で図柄の透視が遮られるとともに、補助発光手段の光が周面側から補助導光板に導入されてその主表面を面発光させ、主表面から出た光が前面側に向けて導出されることにより、遊技者によって補助発光手段の光を視認可能とすることができる。
【００２３】
このように、補助導光板及び補助発光手段のみを利用した演出表示も可能となり、さらに多様化を図ることができる。なお、補助導光板及び補助発光手段には、上記した導光板及び発光手段と同様のものを用いることができる。
【００２４】
発光手段と補助発光手段とを、各々複数の発光素子で構成するとともに、導光板及び補助導光板の（例えば下側の）周面に対向して配置された単一の共通基板に実装することができる。
【００２５】
これによって、発光手段と補助発光手段の取付構造を簡素化し、遊技機用演出表示装置を小型コンパクトで安価に製造できる。
【００２６】
また、上記の課題を解決するために、遊技機に取り付けられる本発明の遊技機用演出表示装置は、
前後方向に所定の厚みを有し、遊技者に対面する前面側の主表面に演出表示のための数字・文字・図形・記号・模様等からなる図柄が所定の色彩を有して表示され、周面側から導入された光を前記主表面から前面側に向けて導出可能な透光性の導光板と、
前記導光板の周面に対向して配置され、所定の発光色で発光して前記導光板を周面側から照射する発光手段とを備えることを特徴とする。
【００２７】
このように、発光手段（例えば発光素子）は前面側の主表面に図柄が表示された導光板の周面に対向して配置されるので、発光手段からの光は、周面側から導光板へ導入されて主表面を面発光させる。これによって、前後長を短縮し発光手段を減少しても主表面に照射する光量を確保でき、小型コンパクト化を図り、製造コストの増大を抑制できる。また、図柄が表示された導光板の主表面が面発光するので、光量損失を軽減して主表面全体を明るく照らし出し、光を効率よく利用して図柄表示部分又は背景部分を含めた主表面全体の前面への輝度を高めることができる。
【００２８】
なお、導光板の主表面（前面）に図柄を表示する際には、導光板の主表面に図柄を直接印刷したり塗装したりするのが望ましいが、図柄の印刷されたシール部材を導光板の主表面に貼り付けてもよい。
【００２９】
これによって、上記遊技機用演出表示装置では、発光手段の発光色が図柄の色彩と同系の有彩色であるとき、その光が周面側から導光板に導入されてその主表面を面発光させ、主表面を透過する際に図柄の色彩と一体化する。
【００３０】
例えば、図柄を除く主表面の背景部分が無色透明の場合、主表面の背景部分と図柄とが渾然一体化してコントラストが相対的に弱められるので、遊技者による図柄の視認を妨げることができる。あるいは、図柄が無色透明部分を内包する場合、無色透明部分と図柄とが渾然一体化してコントラストが相対的に強められるので、遊技者による図柄の視認を容易にすることができる。
【００３１】
また、上記遊技機用演出表示装置では、発光手段の発光色が図柄の色彩と補色関係を有する異系の有彩色であるとき、その光が周面側から導光板に導入されてその主表面を面発光させ、主表面を透過する際に図柄の色彩と混合して無彩色を呈する。
【００３２】
例えば、図柄を除く主表面の背景部分が無色透明の場合、主表面の背景部分が発光手段の発光色を呈してコントラストが相対的に強められるので、無彩色図柄の視認を容易にすることができる。あるいは、図柄を除く主表面の背景部分が無彩色の場合、主表面の背景部分と無彩色図柄とが渾然一体化してコントラストが相対的に弱められるので、遊技者による無彩色図柄の視認を妨げることができる。
【００３３】
このように、発光手段の発光色を図柄の色彩に対して同系の有彩色にしたり、補色関係を有する異系の有彩色にしたりすることによって、図柄あるいは無彩色図柄を消す（視認不能）状態と見せる（視認可能）状態とに切り替えることができる。
【００３４】
そして、導光板の前方に配置され、暗い側からは明るい側を透視でき、明るい側からは暗い側を透視できないようにする半透鏡を備え、
発光手段の発光時には半透鏡を介して前方側から後方側を透視でき、かつ発光手段の非発光時には半透鏡によって前方側から後方側を透視できないようにすることができる。
【００３５】
導光板の前方に半透鏡（ハーフミラー；マジックミラー）を備えることにより、上記した図柄あるいは無彩色図柄を消す（視認不能）状態と見せる（視認可能）状態とを切り替える際のコントラストを相対的に強めることができ、図柄あるいは無彩色図柄をくっきりと表示できる。
【００３６】
これらの遊技機用演出表示装置において、図柄は色相の異なる複数の色彩を有し、
発光手段は、図柄の各色彩に対して、同系の有彩色と補色関係を有する異系の有彩色とに発光可能な発光素子によって構成されていることが望ましい。
【００３７】
これによって遊技機用演出表示装置を一層小型コンパクトに構成できる。また、発光手段の発光色を図柄の各色彩に対して同系の有彩色にしたり、補色関係を有する異系の有彩色にしたりすることによって、一部の図柄あるいは無彩色図柄を消す（視認不能）状態と見せる（視認可能）状態とに交互に切り替えることができるので、多様な演出表示が可能となる。
【００３８】
さらに、導光板の後方側と周面側とのうち少なくともいずれか一方に配置され、その導光板の後面と周面とのうち少なくともいずれか一方から外方へ漏出する光を反射して導光板へ再導入するための反射部を備えることが望ましい。
【００３９】
反射部によって光量損失を軽減して表示体全体又は導光板の主表面全体を明るく照らし出し、光を効率よく利用して図柄表示部分ひいては背景部分を含めた全体の前面への輝度を高めることができる。なお、上記反射部は、例えば、非透光性の白色高分子材料（例えばポリアセタール（ＰＯＭ）等の合成樹脂材料）でのケース体の一体成形や、ケース体の内面における白色塗料の塗装、白色反射シールの貼付、アルミニウム等の真空蒸着、クロムめっき等により層状（膜状）に形成でき、特に簡便な方法である白色高分子材料での一体成形や白色塗装、クロムめっきが推奨される。
【００４０】
そこで、上記課題を解決するために、本発明の遊技機は、
以上のような遊技機用演出表示装置が取り付けられることを特徴とする。
【００４１】
このように、遊技機用演出表示装置の前後長を長くしたり発光手段を増設したりしなくても表示体又は導光板の主表面に照射する光量を確保でき、小型コンパクトで製造コストの増大を抑制しつつ多彩な演出表示が可能な遊技機を提供できる。
【発明を実施するための最良の形態】
【００４２】
（実施例１）
以下、本発明の実施の形態を図面を参照しつつ説明する。図１は本発明に係る遊技機用演出表示装置（以下、単に演出表示装置ともいう）を備えたパチンコ機を例示する正面図である。図１に示すように、パチンコ機１（遊技機）の遊技盤２の盤面（前面）には、ほぼ左半周が内外２本の発射レール２ｂによって区画され、全体として円形の遊技領域２ａが形成されている。遊技領域２ａの中央には液晶表示部３が搭載され、液晶表示部３の下方（遊技領域２ａの中央下部）に大入賞口４（アタッカー）が配置されている。また、液晶表示部３と大入賞口４との間には、電動チューリップ（電チュー）にて構成される始動口５が配置されている。また、液晶表示部３の上方（遊技領域２ａの中央上部）には、パチンコ機１の作動中（遊技中又は待機中）に、遊技者等に対して数字・文字・図形・記号・模様等からなる図柄を演出表示するための演出表示装置１０が取り付けられている。
【００４３】
なお、本明細書において、上下方向とは遊技盤２の盤面に沿う形で遊技球が流下する方向（例えば、鉛直方向）を意味する。また、左右方向とは遊技盤２の盤面に沿う形で上下方向と交差する方向（例えば、水平方向）を意味し、遊技者側からみて左側、右側をいう。さらに、前後方向とは遊技盤２と交差（例えば、直交）する方向を意味し、遊技者に対面する側（手前側）が前面側（前方側）であり、その反対側（奥側）が後面側（後方側）となる。
【００４４】
図２は本発明に係る演出表示装置の一例を示す正面図及びＡ−Ａ断面図、図３はその演出表示装置を分解して示す斜視図、図４は表示シートの図柄表示を説明する正面図である。図２及び図３に示すように、演出表示装置１０は、後方の収納ケース１９Ｂ（保持部材）と前方のカバー１９Ｆ（保持部材）とがビス１０ａ等の締結部材で結合され、遊技機１の遊技領域２ａ（図１参照）に固定されている。収納ケース１９Ｂとカバー１９Ｆの内部には、後方側から前方側へ、導光板１１，後方レンズ１２（光拡散透過部材），表示シート１３（表示体），ハーフミラー１４（半透鏡；マジックミラー），補助導光板１５，前方レンズ１６（補助光拡散透過部材）が順次収納され、さらにそれらの下方位置にてＬＥＤ基板１７（共通基板）が水平状に配置収納されている。また、ＬＥＤ基板１７の上面には、それぞれフルカラーＬＥＤで構成された後方ＬＥＤ１８Ｂ（発光素子；発光手段）と前方ＬＥＤ１８Ｆ（発光素子；補助発光手段）とが、左右方向に平行状に複数（例えば３個ずつ）並ぶ形で、光軸を各々鉛直上方へ向けて実装されている。
【００４５】
表示シート１３は、例えばポリエチレン（ＰＥ）、ポリプロピレン（ＰＰ）のように透光性を有する合成樹脂製であり、無色透明の円形状の１枚のシート状材料の下部を水平状に切り取った形状に形成されている。表示シート１３の前面中央には、透光性の絵の具、印刷インク等によって個々に着色された複数（例えば２つ）の図柄１３１，１３２が描かれている。具体的には、図４に示すように、第一図柄１３１は赤Ｒで彩色された“×”の記号で表され、一方、第二図柄１３２は赤Ｒに対して補色関係のシアンＣ（＝青緑ＢＧ）で彩色された“○”の記号で表されており、両図柄１３１，１３２は部分的な重なり（図では４ヶ所）を有している。
【００４６】
図２及び図３に戻り、導光板１１は、前後方向に所定の厚みを有するとともに表示シート１３と同様の外形形状に形成されて、表示シート１３の後方に平行状に配置されている。すなわち、導光板１１は、例えばアクリル樹脂のように透光性を有する透明又は半透明の合成樹脂製であり、円形状の板状材料の下部を水平状に切り取った水平部１１ａ（平坦部）を有している。水平部１１ａの水平周面１１ｂ（周面）は、ＬＥＤ基板１７と平行状に対向配置している。
【００４７】
後方レンズ１２は、導光板１１や表示シート１３と同様の外形形状に形成され、かつ両者の間に平行状に配置されることにより、導光板１１の主表面１１ｃ（前面）との間に前後方向のスペースＳが形成される。よって、後方レンズ１２は、導光板１１の主表面１１ｃからの光を拡散し前面側に透過させる機能と、導光板１１と表示シート１３との離間距離を大きくして表示シート１３の図柄１３１，１３２を明るく均一に照らすためのスペースＳを確保する機能とを有している。
【００４８】
後方ＬＥＤ１８Ｂは、表示シート１３の後方において導光板１１の水平部１１ａと対向配置され、その光軸が水平周面１１ｂと直交状に交差している。なお、後方ＬＥＤ１８Ｂは、フルカラーＬＥＤで構成されているため、少なくとも図柄１３１，１３２の色彩と同系色に発光するとともに、図柄１３１，１３２の色彩と補色関係を有する異系色に発光することができる。したがって、後方ＬＥＤ１８Ｂからの光は、水平部１１ａの水平周面１１ｂから導光板１１に導入されて前面側の主表面１１ｃを面発光させる。
【００４９】
また、収容ケース１９Ｂの内面（内底面及び内周面）は、導光板１１の後面及び周面から外方へ漏出する光を反射して導光板１１へ再導入するための反射面１９ａ（反射部）に形成されている。具体的には、収容ケース１９Ｂを非透光性の白色合成樹脂材料で一体成形したり、内面を白色塗料で塗装したりすることによって、反射面１９ａを形成する。
【００５０】
一方、表示シート１３の前面側には、表示シート１３と同様の外形形状に形成されたハーフミラー１４が配置されている。ハーフミラー１４は、暗い側からは明るい側を透視でき、明るい側からは暗い側を透視できないようにする機能を有している。したがって、遊技者は、後方ＬＥＤ１８Ｂの発光時（点灯時）には、ハーフミラー１４を介して前方側から後方側の表示シート１３を透視でき、後方ＬＥＤ１８Ｂの非発光時（消灯時）には、ハーフミラー１４によって前方側から後方側の表示シート１３を透視できなくなる。
【００５１】
補助導光板１５は、前後方向に所定の厚みを有するとともに表示シート１３と同様の外形形状に形成されて、表示シート１３の前方に平行状に配置されている。すなわち、補助導光板１５は、例えばアクリル樹脂のように透光性を有する透明又は半透明の合成樹脂製であり、円形状の板状材料の下部を水平状に切り取った水平部１５ａ（平坦部）を有している。水平部１５ａの水平周面１５ｂ（周面）は、ＬＥＤ基板１７と平行状に対向配置している。
【００５２】
前方レンズ１６は、補助導光板１５や表示シート１３と同様の外形形状に形成され、かつ補助導光板１５の前方に配置されることにより、補助導光板１５の主表面１５ｃ（前面）との間に前後方向のスペースＳが形成される。よって、前方レンズ１６は、補助導光板１５の主表面１５ｃからの光を拡散し前面側に透過させる機能と、補助導光板１５を保護する機能とを有している。また、前方レンズ１６は中央ほど前方に膨出するドーム形状を有するため、演出表示装置１０に奥行があるように見せる（図柄１３１，１３２に立体感をもたせる）ことができる。
【００５３】
前方ＬＥＤ１８Ｆは、表示シート１３の前方において補助導光板１５の水平部１５ａ（実際には前方レンズ１６の屈曲周縁部）と対向配置され、その光軸が水平周面１５ｂと直交状に交差している。なお、前方ＬＥＤ１８Ｆは、フルカラーＬＥＤで構成されているため、少なくとも図柄１３１，１３２の色彩と同系色に発光するとともに、図柄１３１，１３２の色彩と補色関係を有する異系色に発光することができる。したがって、前方ＬＥＤ１８Ｆからの光は、（前方レンズ１６の屈曲周縁部を通り）水平部１５ａの水平周面１５ｂから補助導光板１５に導入されて前面側の主表面１５ｃを面発光させる。
【００５４】
また、カバー１９Ｆの内面（内周面）は、補助導光板１５の周面から外方へ漏出する光を反射して補助導光板１５へ再導入するための反射面１９ａ（反射部）に形成されている。具体的には、カバー１９Ｆを白色の合成樹脂材料で一体成形したり、内面を白色塗料で塗装したりすることによって、反射面１９ａを形成する。
【００５５】
このように、後方ＬＥＤ１８Ｂからの光は、水平部１１ａの水平周面１１ｂから導光板１１に導入されて前面側の主表面１１ｃを面発光させ、主表面１１ｃから表示シート１３に向けて導出される。さらに後方ＬＥＤ１８Ｂからの光は、ハーフミラー１４、補助導光板１５及び前方レンズ１６を通り遊技者に到達する。一方、前方ＬＥＤ１８Ｆからの光は、（前方レンズ１６の屈曲周縁部を通り）水平部１５ａの水平周面１５ｂから補助導光板１５に導入されて前面側の主表面１５ｃを面発光させ、主表面１５ｃから前面側に向けて導出される。さらに前方ＬＥＤ１８Ｆからの光は、前方レンズ１６を通り遊技者に到達する。
【００５６】
次に、以上のように構成された演出表示装置１０の演出表示態様について、図５及び表１を用いて具体的に説明する。
【００５７】
【表１】
2010094443.tif 000003
【００５８】
＜演出表示態様１＞
［後方ＬＥＤ１８Ｂ、前方ＬＥＤ１８Ｆがともに消灯しているとき］
ハーフミラー１４によって前方側から後方側の表示シート１３を透視できなくなるので、補助導光板１５、前方レンズ１６を介してハーフミラー１４の前面が見える（図２（ａ）参照）。
【００５９】
＜演出表示態様２＞
［後方ＬＥＤ１８Ｂが赤Ｒで点灯し、前方ＬＥＤ１８Ｆが消灯しているとき］
ハーフミラー１４を介して前方側から後方側の表示シート１３を透視できる。このとき、後方ＬＥＤ１８Ｂの発光色である赤Ｒは第一図柄１３１（赤Ｒ）と同色であるから、後方ＬＥＤ１８Ｂからの光は表示シート１３を透過する際に第一図柄１３１と渾然一体化してコントラストが相対的に弱められるので、視認（背景色（赤Ｒ）との区別）ができなくなる。また、赤Ｒは第二図柄１３２（シアンＣ＝青緑ＢＧ）とは補色関係を有する異系色であるから、後方ＬＥＤ１８Ｂからの光は表示シート１３を透過する際に第二図柄１３２と混合して、黒Ｓの第二無彩色図柄１３２’が視認される（図５（ａ）参照）。なお、表示シート１３の背景部分は後方ＬＥＤ１８Ｂの発光色である赤Ｒを呈してコントラストが相対的に強められるので、第二無彩色図柄１３２’の視認が容易になる。
【００６０】
＜演出表示態様３＞
［後方ＬＥＤ１８Ｂ、前方ＬＥＤ１８Ｆがともに赤Ｒで点灯しているとき］
このときの視認状況は演出表示態様２に準じる。ただし、前方ＬＥＤ１８Ｆが赤Ｒで点灯することによって、第一図柄１３１を含む背景色（赤Ｒ）と黒Ｓの第二無彩色図柄１３２’とのコントラストが一層強調され、第二無彩色図柄１３２’がより鮮明に浮かび上がる（図５（ａ）参照）。
【００６１】
＜演出表示態様４＞
［後方ＬＥＤ１８Ｂが緑Ｇで点灯し、前方ＬＥＤ１８Ｆが消灯しているとき］
ハーフミラー１４を介して前方側から後方側の表示シート１３を透視できる。このとき、後方ＬＥＤ１８Ｂの発光色である緑Ｇは第二図柄１３２（シアンＣ＝青緑ＢＧ）と同系色であるから、後方ＬＥＤ１８Ｂからの光は表示シート１３を透過する際に第二図柄１３２と渾然一体化してコントラストが相対的に弱められるので、視認（背景色（緑Ｇ）との区別）がしにくくなる。また、緑Ｇは第一図柄１３１（赤Ｒ）とは補色関係を有する異系色であるから、後方ＬＥＤ１８Ｂからの光は表示シート１３を透過する際に第一図柄１３１と混合して、灰色Ｎの第一無彩色図柄１３１’が視認される（図５（ｂ）参照）。なお、表示シート１３の背景部分は後方ＬＥＤ１８Ｂの発光色である緑Ｇを呈してコントラストが相対的に強められるので、第一無彩色図柄１３１’の視認が容易になる。
【００６２】
＜演出表示態様５＞
［後方ＬＥＤ１８Ｂ、前方ＬＥＤ１８Ｆがともに緑Ｇで点灯しているとき］
このときの視認状況は演出表示態様４に準じる。ただし、前方ＬＥＤ１８Ｆが緑Ｇで点灯することによって、第二図柄１３２を含む背景色（緑Ｇ）と灰色Ｎの第一無彩色図柄１３１’とのコントラストが一層強調され、第一無彩色図柄１３１’がより鮮明に浮かび上がる（図５（ｂ）参照）。
【００６３】
＜演出表示態様６＞
［後方ＬＥＤ１８Ｂが消灯し、前方ＬＥＤ１８Ｆが任意の発光色で点灯しているとき］
ハーフミラー１４によって前方側から後方側の表示シート１３を透視できなくなるので、補助導光板１５、前方レンズ１６を介して前方ＬＥＤ１８Ｆの発光色が視認できる（図２（ａ）参照）。
【００６４】
以上で説明したように、後方ＬＥＤ１８Ｂは表示シート１３の後方であって導光板１１の水平周面１１ｂに対向して配置されるので、後方ＬＥＤ１８Ｂからの光は、水平周面１１ｂから導光板１１へ導入されて主表面１１ｃを面発光させ、主表面１１ａから出た光が表示シート１３を後方側から照射する。これによって、前後長を長くしたり後方ＬＥＤ１８Ｂを増設したりしなくても表示シート１３に照射する光量を確保できるので、演出表示装置１０の小型コンパクト化を図り、製造コストの増大を抑制できる。また、導光板１１の主表面１１ａが面発光するので、光量損失を軽減して表示シート１３全体を明るく照らし出し、光を効率よく利用して図柄１３１，１３２の表示部分（あるいは背景部分を含めた表示シート１３全体）の前面への輝度を高めることができる。
【００６５】
したがって、後方ＬＥＤ１８Ｂが図柄１３１，１３２の色彩と同系色に発光したとき、図柄１３１，１３２の色彩と表示シート１３の背景色（地色）とのコントラストを相対的に弱めることができ、遊技者による図柄１３１，１３２の視認が困難となる。一方、図柄１３１，１３２の色彩（例えば赤Ｒ）と後方ＬＥＤ１８Ｂの発光色（例えば青緑ＢＧ）とが補色関係になると、遊技者は無彩色図柄１３１’，１３２’（例えば黒Ｓ又は灰色Ｎ）を視認できる。このように、後方ＬＥＤ１８Ｂの発光色を図柄１３１，１３２の色彩に対して同系色にしたり、補色関係の異系色にしたりすることによって、無彩色図柄１３１’，１３２’を消す（視認不能）状態と見せる（視認可能）状態とに切り替えることができる。
【００６６】
また、表示シート１３の前方にさらに補助導光板１５及び前方ＬＥＤ１８Ｆを備えることにより、後方ＬＥＤ１８Ｂの発光色と図柄１３１，１３２の色彩とによる演出表示が前方ＬＥＤ１８Ｆの光との混合によって強調され、さらに多彩な演出表示が可能となる。その際、補助導光板１５及び前方ＬＥＤ１８Ｆのみを利用した演出表示も可能となり、さらに多様化を図ることができる。
【００６７】
さらに、後方ＬＥＤ１８Ｂと前方ＬＥＤ１８Ｆとを単一のＬＥＤ基板１７に実装することによって、後方ＬＥＤ１８Ｂと前方ＬＥＤ１８Ｆの取付構造を簡素化し、演出表示装置１０を小型コンパクトで安価に製造できる。
【００６８】
なお、後方ＬＥＤ１８Ｂ及び前方ＬＥＤ１８ＦにはフルカラーＬＥＤを用いているので、図柄１３１，１３２の色彩が図４に示すものと異なる場合であっても、表１に示す視認状況を実現させることができる。もちろん後方ＬＥＤ１８Ｂ及び前方ＬＥＤ１８Ｆは、図柄１３１，１３２の色彩に対して、同系色や補色関係を有する異系色以外の色で発光させることができるので、さらに多彩な色変化（例えば、赤Ｒと青Ｂで紫Ｐ、黄Ｙと赤Ｒで黄赤Ｏ）を付加して演出表示することができる。
【００６９】
（変形例）
図６は表示シートの図柄表示の変形例を説明する正面図、図７は演出表示態様の変形例を説明する正面図である。図６に示す表示シート１３は、例えばポリエチレン（ＰＥ）、ポリプロピレン（ＰＰ）のように透光性を有する合成樹脂製であり、無色透明の円形状の１枚のシート状材料の下部を水平状に切り取った形状に形成されている。表示シート１３の前面中央には、透光性の絵の具、印刷インク等によって個々に着色された複数（例えば２つ）の図柄１３１，１３２が描かれている。
【００７０】
具体的には、第一図柄１３１は赤Ｒで彩色された“×”の記号で表され、一方、第二図柄１３２は赤Ｒに対して補色関係のシアンＣ（＝青緑ＢＧ）で彩色された“○”の記号で表されている。また、両図柄１３１，１３２を除く背景部分１３０は黒Ｓ（無彩色）に着色されて非透光性であり、両図柄１３１，１３２の交差部分１３３（図では４ヶ所）は無色透明（地のまま）とされているので、両図柄１３１，１３２は無色透明部分である交差部分１３３を各々内包している。
【００７１】
次に、図６の表示シートを用いた場合の演出表示態様について、図７及び表２を用いて具体的に説明する。なお、演出表示態様１及び６は実施例１（表１）と同様であるから、説明を省略する。
【００７２】
【表２】
2010094443.tif 000004
【００７３】
＜演出表示態様２’＞
［後方ＬＥＤ１８Ｂが赤Ｒで点灯し、前方ＬＥＤ１８Ｆが消灯しているとき］
ハーフミラー１４を介して前方側から後方側の表示シート１３を透視できる。このとき、後方ＬＥＤ１８Ｂの発光色である赤Ｒは第一図柄１３１（赤Ｒ）と同色であるから、後方ＬＥＤ１８Ｂからの光は表示シート１３を透過する際に交差部分１３３と第一図柄１３１とが渾然一体化してコントラストが相対的に強められるので、交差部分１３３を含む形での第一図柄１３１（“×”の完成形態）の視認が容易になる。また、赤Ｒは第二図柄１３２（シアンＣ＝青緑ＢＧ）とは補色関係を有する異系色であるから、後方ＬＥＤ１８Ｂからの光は表示シート１３を透過する際に第二図柄１３２と混合して黒Ｓの第二無彩色図柄１３２’を呈し、背景部分１３０と第二無彩色図柄１３２’とが渾然一体化してコントラストが相対的に弱められるので、第二無彩色図柄１３２’の視認（背景部分１３０（黒Ｓ）との区別）ができなくなる（図７（ａ）参照）。
【００７４】
＜演出表示態様３’＞
［後方ＬＥＤ１８Ｂ、前方ＬＥＤ１８Ｆがともに赤Ｒで点灯しているとき］
このときの視認状況は演出表示態様２’に準じる。ただし、前方ＬＥＤ１８Ｆが赤Ｒで点灯することによって、交差部分１３３を含む第一図柄１３１と背景部分１３０を含む第二無彩色図柄１３２’とのコントラストが一層強調され、完成形態の第一図柄１３１がより鮮明に浮かび上がる（図７（ａ）参照）。
【００７５】
＜演出表示態様４’＞
［後方ＬＥＤ１８Ｂが緑Ｇで点灯し、前方ＬＥＤ１８Ｆが消灯しているとき］
ハーフミラー１４を介して前方側から後方側の表示シート１３を透視できる。このとき、後方ＬＥＤ１８Ｂの発光色である緑Ｇは第二図柄１３２（シアンＣ＝青緑ＢＧ）と同系色であるから、後方ＬＥＤ１８Ｂからの光は表示シート１３を透過する際に交差部分１３３と第二図柄１３２とが渾然一体化してコントラストが相対的に強められるので、交差部分１３３を含む形での第二図柄１３２（“○”の完成形態）の視認が容易になる。また、緑Ｇは第一図柄１３１（赤Ｒ）とは補色関係を有する異系色であるから、後方ＬＥＤ１８Ｂからの光は表示シート１３を透過する際に第一図柄１３１と混合して灰色Ｎの第一無彩色図柄１３１’を呈し、背景部分１３０と第一無彩色図柄１３１’とが渾然一体化してコントラストが相対的に弱められるので、第一無彩色図柄１３１’の視認（背景部分１３０（黒Ｓ）との区別）が困難になる（図７（ｂ）参照）。
【００７６】
＜演出表示態様５’＞
［後方ＬＥＤ１８Ｂ、前方ＬＥＤ１８Ｆがともに緑Ｇで点灯しているとき］
このときの視認状況は演出表示態様４’に準じる。ただし、前方ＬＥＤ１８Ｆが緑Ｇで点灯することによって、交差部分１３３を含む第二図柄１３２と背景部分１３０を含む第一無彩色図柄１３１’とのコントラストが一層強調され、完成形態の第二図柄１３２がより鮮明に浮かび上がる（図７（ｂ）参照）。
【００７７】
（実施例２）
図８は演出表示装置の他の例を示す断面図である。図８に示す演出表示装置１０’では、導光板１１が表示シート１３（表示体）において図柄１３１，１３２（図３参照）に対応する中央部分のみに配置されている。具体的には、導光板１１は、その上下方向の寸法Ｌ１が表示シート１３の上下方向の寸法Ｌ２よりも小さくなるように形成されている。また、導光板１１の上下方向の寸法Ｌ１が短縮されるに伴って、後方ＬＥＤ１８Ｂ’（発光素子；発光手段）の発光部を導光板１１の水平周面１１ｂ（周面）に接近させるために、後方ＬＥＤ１８Ｂ’には、ＬＥＤ基板１７（共通基板）からの突出高さが大きい足長タイプが用いられている。なお、符号２０は、導光板１１と後方レンズ１２（光拡散透過部材）との間のスペースＳを部分的に埋め、導光板１１の水平部１１ａ（平坦部）と後方レンズ１２とを仕切ることによって、後方ＬＥＤ１８Ｂ’からの光が導光板１１に導入されずに後方レンズ１２に漏出するのを防止するための仕切板（遮光部材）である。
【００７８】
このように、表示シート１３よりも小さく形成された導光板１１（及びその導光板１１に対応して配置された収容ケース１９Ｂ（保持部材）の反射面１９ａ（反射部；図３参照））によって後方ＬＥＤ１８Ｂ’の発光量を集中させて、表示シート１３の図柄１３１，１３２部分を明るく照らし出し、光を効率よく利用して図柄１３１，１３２の前面輝度を高めることができる。
【００７９】
（実施例３）
図９は演出表示装置の他の例を示す分解斜視図である。図９に示すように、演出表示装置１１０を構成する収納ケース１９Ｂ（保持部材）とカバー１９Ｆ（保持部材）の内部には、後方側から前方側へ、導光板１１１，ハーフミラー１４（半透鏡；マジックミラー）が順次収納され、さらに導光板１１１の下方位置にて、左右方向に複数（例えば３個）のＬＥＤ１１８（発光素子；発光手段）が実装されたＬＥＤ基板１１７が水平状に配置収納されている。また、この実施例では、導光板１１１の主表面１１１ｃ（前面）に図柄１３１，１３２を直接印刷してある。ただし、図柄１３１，１３２の印刷されたシール部材を導光板１１１の主表面１１１ｃに貼り付けてもよい。このように、この演出表示装置１１０には、実施例１（図３）に表された後方レンズ１２、表示シート１３、補助導光板１５、前方レンズ１６を含まず、発光手段は後方ＬＥＤ１８Ｂに相当するＬＥＤ１１８のみで構成される。
【００８０】
したがって、この演出表示装置１１０では、前述の表１（又は表２）において演出表示態様１，２，４（又は１，２’，４’）が実行される。
【００８１】
以上で説明したように、ＬＥＤ１１８は主表面１１１ｃに図柄１３１，１３２が表示された導光板１１１の水平部１５ａ（平坦部）の水平周面１１１ｂ（周面）に対向して配置されるので、ＬＥＤ１１８からの光は、水平周面１１１ｂから導光板１１１へ導入されて主表面１１１ｃを面発光させる。これによって、前後長を短縮しＬＥＤ１１８を減少しても主表面１１１ｃに照射する光量を確保でき、小型コンパクト化を図り、製造コストの増大を抑制できる。また、図柄１３１，１３２が表示された導光板１１１の主表面１１１ｃが面発光するので、光量損失を軽減して主表面１１１ｃ全体を明るく照らし出し、光を効率よく利用して図柄１３１，１３２の表示部分又は背景を含めた主表面１１１ｃ全体の前面への輝度を高めることができる。
【００８２】
したがって、ＬＥＤ１１８が図柄１３１，１３２の色彩と同系色に発光したとき、図柄１３１，１３２の色彩と導光板１１１の主表面１１１ｃの背景色（地色）とのコントラストを相対的に弱めることができ、遊技者による図柄１３１，１３２の視認が困難となる。一方、図柄１３１，１３２の色彩（例えば赤Ｒ）とＬＥＤ１１８の発光色（例えば青緑ＢＧ）とが補色関係になると、遊技者は無彩色図柄１３１’，１３２’（例えば黒Ｓ又は灰色Ｎ）を視認できる。このように、ＬＥＤ１１８の発光色を図柄１３１，１３２の色彩に対して同系色にしたり、補色関係の異系色にしたりすることによって、無彩色図柄１３１’，１３２’を消す（視認不能）状態と見せる（視認可能）状態とに切り替えることができる。
【００８３】
なお、実施例２（図８）及び実施例３（図９）において実施例１（図２〜図５）と共通する機能を有する部分にはそれぞれ同一符号を付して説明を省略する。
【００８４】
以上の実施例では演出表示装置をパチンコ機に取り付けた場合のみについて説明したが、アレパチ機等の他の弾球遊技機やスロットマシン、パチスロ機等の回胴式遊技機に取り付けてもよい。
【００８５】
また、導光板１１，１１１の後面や補助導光板１５の後面に、カット、シボ、ローレット等の凹凸を設けることによって、ＬＥＤ１８Ｂ，１１８，１８Ｆからの光を中央部から前方側へ一層円滑に誘導することができる。なお、補助導光板１５の後面に凹凸を設ける場合には、図柄を透過した光にその凹凸の模様を重ね合わせて遊技者に視認させることによって、演出効果を一層高めることができる。さらに、導光板１１，１１１や補助導光板１５には、水平周面１１ｂ，１１１ｂ，１５ｂのような平坦な周面を複数形成し、各々の平坦周面に対向してＬＥＤ１８Ｂ，１１８，１８Ｆを配置してもよい。
【図面の簡単な説明】
【００８６】
【図１】本発明に係る演出表示装置を備えたパチンコ機を例示する正面図。
【図２】本発明に係る演出表示装置の一例を示す正面図及びＡ−Ａ断面図。
【図３】図２の演出表示装置を分解して示す斜視図。
【図４】表示シートの図柄表示を説明する正面図。
【図５】演出表示態様を説明する正面図。
【図６】表示シートの図柄表示の変形例を説明する正面図。
【図７】演出表示態様の変形例を説明する正面図。
【図８】演出表示装置の他の例を示す断面図。
【図９】演出表示装置のさらに他の例を示す分解斜視図。
【符号の説明】
【００８７】
１        パチンコ機（遊技機）
１０      演出表示装置（遊技機用演出表示装置）
１１      導光板
１１ａ    水平部（平坦部）
１１ｂ    水平周面（周面）
１１ｃ    主表面（前面）
１２      後方レンズ（光拡散透過部材）
１３      表示シート（表示体）
１３１    第一図柄（図柄）
１３１’  第一無彩色図柄（無彩色図柄）
１３２    第二図柄（図柄）
１３２’  第二無彩色図柄（無彩色図柄）
１４      ハーフミラー（半透鏡；マジックミラー）
１５      補助導光板
１５ａ    水平部（平坦部）
１５ｂ    水平周面（周面）
１５ｃ    主表面（前面）
１６      前方レンズ（補助光拡散透過部材）
１７      ＬＥＤ基板（共通基板）
１８Ｂ    後方ＬＥＤ（発光素子；発光手段）
１８Ｆ    前方ＬＥＤ（発光素子；補助発光手段）
１９Ｂ    収容ケース（保持部材）
１９Ｆ    カバー（保持部材）
１９ａ    反射面（反射部）
【図１】
2010094443.tif 000005
【図２】
2010094443.tif 000006
【図３】
2010094443.tif 000007
【図４】
2010094443.tif 000008
【図５】
2010094443.tif 000009
【図８】
2010094443.tif 000010
【図９】
2010094443.tif 000011
【図６】
2010094443.tif 000012
【図７】
2010094443.tif 000013